(57)【要約】【課題】傘カバーを収縮した時、持ちやすい形となり、傘カバーを引き伸ばした時には、カバーは傘の外部にカバーとして折り畳んだ傘をカバーし、収納カバーとなって、濡れた傘布の水滴が滴り落ちるのを防ぐことができる伸縮傘カバーを提供する。【解決手段】伸縮傘カバーは、主支柱底部の台座内に、複数の直径が異なるカバー筒及び一つの固定カバー筒からなる。そのうち、固定カバー筒は台座内部に固定されている。この固定カバー筒外部に、縦向きに、同心円のカバーが取り付けられることにより、直径が最も小さいカバー筒の外部に複数のカバー筒が取り付けられ、外になるほど、その直径が大きくなる。その固定カバー筒上方には外周突起部分があり、どのカバー筒にも上方に外周突起部分及び内周突起部分がある。下方には、内側環状ストッパーがあり、複数のカバー筒は互いに重なり組み合わさるようになっている。そして、その上方内部にある、内周突起部分によって間隔を取るようになっている。    【選択図】  図３
0003103212.tif 000002
【実用新案登録請求の範囲】
【請求項１】
主支柱底部の台座内に伸縮傘カバーが取り付けられていて、
その伸縮傘カバーが複数の直径が異なるカバー筒及び一つの固定カバー筒からなり、そのうち、固定カバー筒は台座の内部に固定されていて、この固定カバー筒外部に、縦向きに、同心円のカバー筒が取り付けられることにより、直径が最も小さいカバー筒の外部に複数のカバー筒が取り付けられ、外になるほど、その直径が大きくなり、その固定カバー筒上方には外周突起部分があり、どのカバー筒にも上方に外周突起部分及び内周突起部分があって、下方には、内側環状ストッパーがあり、複数のカバー筒は、互いに重なり組み合わさるようになっていて、その上方内部にある、内周突起部分によって間隔を取るようになっていて、
キャップの縁がカバー筒上方の開口部に伸びていて、その内周槽にカバー筒の外周突起部が納まった後、このキャップは環状突起部分とカバー筒の外周突起部分がはまり込んで結合するようになっているという特長を持つ、伸縮傘カバー。
【考案の詳細な説明】
【技術分野】
【０００１】
本考案は伸縮傘カバーに関する。本考案の伸縮傘カバーは、折り畳み式の傘にも応用が可能であり、傘全体を覆うカバーとなり、傘カバーを収縮した時には持ち手となる二重の効果を持つ。
【背景技術】
【０００２】
現在市場に出回っている傘には、長傘、折り畳み傘等、いろいろなものがある。一般に、長いタイプの傘にはカバーのあるものとないものとがある。図１及び図２を参照いただきたい。カバーのあるタイプの長傘は、主支柱１’の先端部分に、伸縮傘カバー３’が取り付けられている。雨の日に傘を持ち歩く際には、傘布部分２’をたたみ、カバー３’を直接引き出しカバーとすることで、雨水が落ちるのを防ぐようになっている。
【考案の開示】
【考案が解決しようとする課題】
【０００３】
解決しようとする問題点は、上記従来の長傘は持ち歩く際、邪魔になり不便である。逆に、携帯に便利な折り畳み傘は、雨の時に使用した後、傘が濡れ、カバーがないため折り畳んだ時水が滴り落ち、収納に不便である。
【課題を解決するための手段】
【０００４】
本考案の伸縮傘カバーは、主支柱底部の台座内に、複数の直径が異なるカバー筒及び一つの固定カバー筒からなる。そのうち、固定カバー筒は台座内部に固定されている。この固定カバー筒外部に、縦向きに、同心円のカバーが取り付けられることにより、直径が最も小さいカバー筒の外部に複数のカバー筒が取り付けられ、外になるほど、その直径が大きくなる。その固定カバー筒上方には外周突起部分があり、どのカバー筒にも上方に外周突起部分及び内周突起部分がある。下方には、内側環状ストッパーがあり、複数のカバー筒は互いに重なり組み合わさるようになっている。そして、その上方内部にある、内周突起部分によって間隔を取るようになっている。
【考案の効果】
【０００５】
本考案の伸縮傘カバーは、多重の機能を持つ。傘カバーを収縮した時、持ちやすい形となり、傘カバーを引き伸ばした時には、カバーは傘の外部にカバーとして折り畳んだ傘をカバーし、収納カバーとなって、濡れた傘布の水滴が滴り落ちるのを防ぐという効果がある。
【考案を実施するための最良の形態】
【０００６】
図３、図４及び図７を参照いただきたい。本考案の伸縮傘カバーは、主支柱１に傘布部分２が取り付けてある。その主支柱１底部は、台座４に固定されていて、台座４内には伸縮傘カバー３が取り付けられている。伸縮傘カバー３が収縮されている時には、伸縮傘カバー３は傘の持ち手となる。
【０００７】
この伸縮傘カバー３は複数の直径が異なるカバー筒３１及び一つの固定カバー筒３２からなる。そのうち、固定カバー筒３２は台座４の内部に固定されている。この固定カバー筒３２外部に、縦向きに、同心円のカバー筒３１が取り付けられることにより、直径が最も小さいカバー筒３１の外部に複数のカバー筒３１が取り付けられ、外になるほど、その直径が大きくなる。その固定カバー筒３２上方には外周突起部分３２１があり、どのカバー筒３１にも上方に外周突起部分３１１及び内周突起部分３１２がある。下方には、内側環状ストッパー３１３がある。
【０００８】
複数のカバー筒３１が引き伸ばされると、直径の大きいカバー筒３１はその内部環状ストッパー３１３が内径のカバー筒３１上方の外周突起部分３１１に引っかかって止まり、最も内層に取り付けられたカバー筒３１は直径の最も小さいカバー筒３１で、引き伸ばされると、下方の内部環状ストッパー３１３が固定カバー筒３２上方の外周突起部分３２１に引っかかることにより、カバー筒３１の固定はその他のカバー筒が引き伸ばされるのを助け、引っ張る時の力が大きすぎてカバー筒３１が脱落するのを防いでいる。
【０００９】
複数のカバー筒３１は収縮した時、互いに重なり組み合わさるようになっている。そして、その上方内部にある、内周突起部分３１２によって間隔を取るようになっていて、伸縮傘カバー３の伸縮使用を可能にして、互いに引っかかるのを防いでいる。
【００１０】
図５を参照いただきたい。伸縮傘カバー３を引き伸ばした時、キャップ５で蓋をすることも可能である。キャップ５の縁はカバー筒３１上方の開口部に伸びていて、その内周槽５１にカバー筒３１の外周突起部３１１が納まった後、このキャップ５が環状突起部分５２とカバー筒３１の外周突起部分３１１がはまり込んで結合するようになっている。
【００１１】
図６を参照いただきたい。伸縮傘カバー３を引き伸ばした時、キャップ６で蓋をすることができる。キャップ６の縁はカバー筒３１上方の開口部に伸びていて、その内周槽６１にカバー筒３１の外周突起部３１１が納まった後、このキャップ６は環状突起部分６２とカバー筒３１の外周突起部分３１１がはまり込んで結合するようになっている。
【００１２】
このようにして、傘カバーを収縮した時、持ちやすい形となり、傘カバーを引き伸ばした時には、カバーは傘の外部にカバーとして折り畳んだ傘をカバーし、収納カバーとなって、濡れた傘布の水滴が滴り落ちるのを防ぐという効果がある。
【図面の簡単な説明】
【００１３】
【図１】従来の長傘のカバーを収納した状態を示した平面外観図である。
【図２】従来の長傘のカバーを引き出した状態を示した平面外観図である。
【図３】本考案の折り畳み傘の立体外観図である。
【図４】本考案の伸縮傘カバー筒の構造の部分拡大図である。
【図５】本考案の伸縮傘カバーにキャップを組み合わせた見取り図である。
【図６】本考案の伸縮傘カバーにもう一つのキャップを組み合わせた見取り図である。
【図７】本考案の傘を開いた状態を示した立体図である。
【符号の説明】
【００１４】
１’        主支柱
２’        傘布部分
３’        傘カバー
１          主支柱
２          傘布部分
３          伸縮傘カバー
３１        カバー筒
３１１      外周突起部分
３１２      内周突起部分
３１３      内側環状ストッパー
３２        固定カバー筒
３２１      外周突起部分
４          台座
５          キャップ
５１        内周槽
５２        環状突起部分
６          キャップ
６１        内周槽
６２        環状突起部分 
【図１】
0003103212.tif 000003
【図２】
0003103212.tif 000004
【図３】
0003103212.tif 000005
【図４】
0003103212.tif 000006
【図５】
0003103212.tif 000007
【図６】
0003103212.tif 000008
【図７】
0003103212.tif 000009